(57)【要約】      （修正有）【課題】需要者がシュリンク包装された物品を台紙から容易に剥離可能な陳列吊り下げ用包装体であって、物品として質量の大きい物品を含む場合も、物品の質量により台紙と物品とが剥離することがない陳列吊り下げ用包装体を提供する。【解決手段】シュリンク包装された物品１２が接着剤層１３を介して台紙１１表面に固定されている陳列吊り下げ用包装体であって、台紙１１の表面には、台紙１１の厚さ方向未満の深さのハーフカット溝１１１が、台紙１１の一側辺上の２点を起点及び終点として連続的に形成されており、接着剤層１３は、一側辺及びハーフカット溝１１１で囲まれる剥離部１１２に形成されており、物品１２を台紙１１から剥離した際に、物品１２は、接着剤層１３及び剥離部１１２の表面層と共に剥離し、剥離後の台紙１１には、剥離部１１２の裏面層が残部として存在することを特徴とする。【選択図】図３
0003199823.tif 000002
【実用新案登録請求の範囲】
【請求項１】
シュリンク包装された物品が接着剤層を介して台紙の表面に固定されている陳列吊り下げ用包装体であって、
前記台紙の表面には、前記台紙の厚さ方向未満の深さのハーフカット溝が、前記台紙の一側辺上の２点を起点及び終点として連続的に形成されており、
前記接着剤層は、前記一側辺及び前記ハーフカット溝で囲まれる剥離部に形成されており、
前記物品を前記台紙から剥離した際に、前記物品は、前記接着剤層及び前記剥離部の表面層と共に剥離し、
剥離後の前記台紙には、前記剥離部の裏面層が残部として存在することを特徴とする陳列吊り下げ用包装体。
【請求項２】
前記ハーフカット溝の深さが、前記台紙の厚さの３３％以上７５％以下である、請求項１に記載の陳列吊り下げ用包装体。
【請求項３】
前記ハーフカット溝の形状が、吊り下げ方向の鉛直下方の底辺を前記一側辺とする、縦長の逆Ｕ字状である、請求項１又は２に記載の陳列吊り下げ用包装体。
【請求項４】
前記台紙の紙目が、前記台紙の鉛直方向に沿っている請求項１から３のいずれかに記載の陳列吊り下げ用包装体。
【請求項５】
前記ハーフカット溝に略直交する、別のハーフカット溝が更に形成されている請求項１から４のいずれかに記載の陳列吊り下げ用包装体。
【請求項６】
前記物品の質量が２０ｇ以上５００ｇ以下である請求項１から５のいずれかに記載の陳列吊り下げ用包装体。
【考案の詳細な説明】
【技術分野】
【０００１】
本考案は、陳列吊り下げ用包装体に関する。
【背景技術】
【０００２】
従来より、物品の情報等を記載した台紙にシュリンク包装された物品を固定した陳列吊り下げ用包装体が使用されている。このような陳列吊り下げ用包装体は意匠性に優れ、台紙の表面又は裏面に物品の情報等を記載することができる。
【０００３】
例えば、台紙と物品本体がシュリンク包装された陳列吊り下げ用包装体であって、台紙に窓部を通じて台紙上の樹脂フィルムが物品のシュリンクフィルムと熱融着された陳列吊り下げ用包装体が開示されている（特許文献１）。
【先行技術文献】
【特許文献】
【０００４】
【特許文献１】特開２０１３−２５２８６９号公報
【考案の概要】
【考案が解決しようとする課題】
【０００５】
陳列吊り下げ用包装体において、需要者がシュリンク包装された物品を台紙から容易に剥離可能とするためには、例えば物品と台紙との接着強度を弱めることによって実現することができる。しかし、物品と台紙との接着強度を弱めた場合、陳列吊り下げ用包装体の耐久強度が問題となる。特に質量の大きい物品を含む陳列吊り下げ用包装体の場合には、物品の質量によって台紙と物品とが剥離するという問題が生じていた。
【０００６】
本考案は、上記課題を解決することを目的とし、具体的には、需要者がシュリンク包装された物品を台紙から容易に剥離可能な陳列吊り下げ用包装体であって、物品として質量の大きい物品を含む陳列吊り下げ用包装体であっても、物品の質量により台紙と物品とが剥離することがない陳列吊り下げ用包装体を提供することである。
【課題を解決するための手段】
【０００７】
本考案者らは、上記課題を解決すべく鋭意検討を行った結果、台紙の表面にハーフカット溝と台紙の一側辺上で囲まれる剥離部を設けた陳列吊り下げ用包装体であれば上記課題を解決できることを見出し、本考案を完成するに至った。
【０００８】
（１）シュリンク包装された物品が接着剤層を介して台紙の表面に固定されている陳列吊り下げ用包装体であって、前記台紙の表面には、前記台紙の厚さ方向未満の深さのハーフカット溝が、前記台紙の一側辺上の２点を起点及び終点として連続的に形成されており、前記接着剤層は、前記一側辺及び前記ハーフカット溝で囲まれる剥離部に形成されており、前記物品を前記台紙から剥離した際に、前記物品は、前記接着剤層及び前記剥離部の表面層と共に剥離し、剥離後の前記台紙には、前記剥離部の裏面層が残部として存在することを特徴とする陳列吊り下げ用包装体。
【０００９】
（２）前記ハーフカット溝の深さが、前記台紙の厚さの３３％以上７５％以下である、（１）に記載の陳列吊り下げ用包装体。
【００１０】
（３）前記ハーフカット溝の形状が、吊り下げ方向の鉛直下方の底辺を前記一側辺とする、縦長の逆Ｕ字状である、（１）又は（２）に記載の陳列吊り下げ用包装体。
【００１１】
（４）前記台紙の紙目が、前記台紙の鉛直方向に沿っている（１）から（３）のいずれかに記載の陳列吊り下げ用包装体。
【００１２】
（５）前記ハーフカット溝に略直交する、別のハーフカット溝が更に形成されている（１）から（４）のいずれかに記載の陳列吊り下げ用包装体。
【００１３】
（６）前記物品の質量が２０ｇ以上５００ｇ以下である（１）から（５）のいずれかに記載の陳列吊り下げ用包装体。
【考案の効果】
【００１４】
本考案の陳列吊り下げ用包装体は、需要者がシュリンク包装された物品を台紙から容易に剥離可能な陳列吊り下げ用包装体であって、物品として質量の大きい物品を含む陳列吊り下げ用包装体であっても、物品の質量により台紙と物品とが剥離することがない陳列吊り下げ用包装体である。
【図面の簡単な説明】
【００１５】
【図１】本考案の陳列吊り下げ用包装体の全体を表した模式図である。
【図２】本考案に関する台紙１１の表面を表した模式図である。
【図３】本考案に関する物品１２を台紙１１から剥離する前の陳列吊り下げ用包装体の断面図である。
【図４】本考案に関する物品１２を台紙１１から剥離した後の陳列吊り下げ用包装体の断面図である。
【図５】本考案の陳列吊り下げ用包装体から物品１２を剥離している途中の模式図である。
【考案を実施するための形態】
【００１６】
以下、本考案の具体的な実施形態について詳細に説明する。本考案は以下の実施形態に何ら限定されるものではなく、本考案の目的の範囲内において、適宜変更を加えて実施することができる。
【００１７】
＜陳列吊り下げ用包装体＞
本実施形態の陳列吊り下げ用包装体（以下、単に包装体と表記することがある）の全体構造について図１及び図３を用いて説明する。包装体１は、図１に示すように、シュリンク包装された物品１２と台紙１１からなる。また、包装体１は、図３に示すように、シュリンク包装された物品１２が接着剤層１３を介して台紙１１の表面に固定されている。
【００１８】
また、台紙１１の表面には、図３に示すように台紙１１の厚さ方向未満の深さのハーフカット溝１１１が設けられている。物品１２を台紙１１から剥離した際には、ハーフカット溝１１１を起点として剥離部１１２の表面層が剥離される。物品１２を台紙１１から剥離した際におけるハーフカット溝１１１の役割については後述する。
【００１９】
以下、本実施形態の包装体１を構成する台紙１１とシュリンク包装された物品１２と台紙１１とを固定する接着剤層１３について各々説明する。
【００２０】
［台紙］
本実施形態に関する台紙１１について図２及び図３を用いて説明する。台紙１１には、図２に示すように、台紙１１の厚さ方向未満の深さのハーフカット溝１１１が台紙１１の一側辺上の２点を起点１１１ａ及び終点１１１ｂとして連続的に形成されている。また、ハーフカット溝１１１及び台紙１１の一側辺で囲まれる剥離部１１２の表面には、図３に示すように、接着剤層１３が形成される。
【００２１】
本実施形態に関するハーフカット溝１１１の役割について図３〜図５を用いて説明する。図３は物品１２を台紙１１から剥離する前の包装体１の断面図である。物品１２を台紙１１から剥離した場合、ハーフカット溝１１１を起点として、台紙１１表面の水平方向に台紙１１が切断される。そして、図５のように物品１２は、接着剤層１３及び剥離部１１２の表面層と共に剥離する。一方、図４は物品１２を台紙１１から剥離した後の包装体１の断面図である。図４で示すように、物品１２の剥離後の包装体１は、ハーフカット溝１１１を起点として、台紙１１表面の水平方向に台紙１１が切断されているため、物品１２と接着剤層１３と剥離部１１２の表面層とが剥離した状態になる。
【００２２】
本実施形態の包装体１は、ハーフカット溝１１１を起点として、物品１２と台紙１１とが剥離可能な包装体であるため、物品のシュリンクフィルムと台紙上の樹脂フィルムとの接着強度を弱めなくとも、物品１２と台紙１１とを容易に剥離することができる。また、ハーフカット溝１１１を起点として、台紙１１表面の水平方向に台紙１１が切断され、台紙１１には、剥離部１１２の裏面層が残部として存在し、剥離部１１２の表面層のみを綺麗に剥離することができる。そのため、剥離部１１２以外の表面層や、裏面の全面に物品の情報等が記載されている場合でも、物品１２の剥離により剥離部１１２以外の表面層や、裏面の全面に記載された物品１２の情報等が紛失することがない。
【００２３】
ハーフカット溝１１１の深さは、台紙１１の厚さの３３％以上７５％以下であることが好ましい。ハーフカット溝１１１の深さをこのような範囲とすることで、剥離部１１２の裏面層が残部として存在し、剥離部１１２の表面層のみを綺麗に剥離することができる。
【００２４】
また、台紙１１表面のハーフカット溝１１１の形状は、図２で示すような吊り下げ方向の鉛直下方の底辺を前記一側辺とする、縦長の逆Ｕ字状であることが好ましい。図５のように、物品１２を吊り下げ方向の鉛直上方から剥離する際に縦長の逆Ｕ字状を起点に剥離することが可能となるため、剥離部１１２のみを綺麗に剥離することができる。
【００２５】
台紙１１に用いられる材質は陳列吊り下げ用包装体に一般に用いられる紙を用いることができる。また、紙は、一般的にパルプから取り出された繊維が紙の製造中で機械の流れ方向（紙目）に紙繊維が揃うが、台紙１１の紙目が、台紙１１の鉛直方向に沿っていることが好ましい。台紙１１に用いられる紙の紙目を台紙１１の鉛直方向とすることで、台紙１１の鉛直方向に剥離部１１２の表面層を剥離することが容易となる。
【００２６】
また、台紙１１は、紙からなる単層の台紙でもよいが、必要に応じて、ＰＥＴにアルミを蒸着させたものに紙と貼り合わせた台紙や、アルミ箔と紙を貼り合わせた台紙でもよい。台紙１１をＰＥＴやアルミ等により形成された層を設けることで、台紙１１の耐久性をより好ましいものとすることができる。
【００２７】
また、図２に示す台紙１１のように、ハーフカット溝１１１に略直交する、別のハーフカット溝１１３が更に形成されていることが好ましい。別のハーフカット溝１１３を設けることで、剥離部１１２以外の表面層が剥離されるリスクをより軽減することができる。
【００２８】
［物品］
本実施形態に関する物品１２は、シュリンク包装された物品１２であり、接着剤層１３を介して台紙１１表面に固定される。シュリンク包装とは、あらかじめ樹脂フィルム等に包まれた物品を加熱して、物品の形状に密着させる包装である。物品１２の質量は２０ｇ以上５００ｇ以下であることが好ましい。本実施形態の包装体１は、台紙の表面にハーフカット溝と台紙の一側辺上で囲まれる剥離部を設けているため、物品１２の質量を２０ｇ以上としても十分使用することができる。なお、物品１２の質量が５００ｇを超えると、物品１２の質量によって物品の質量により台紙と物品とが剥離するおそれがある。そのため、物品１２の質量が５００ｇ以下であることが好ましい。
【００２９】
［接着剤層］
本実施形態の包装体１は、シュリンク包装された物品１２が接着剤層１３を介して台紙１１表面に固定される。接着剤層は、物品１２のシュリンク包装された樹脂フィルムと台紙表面とを接着する機能を有する。接着剤層１３を形成する接着剤は、物品１２の質量に耐えられる程度の強度を有する接着剤層１３を形成することができる接着剤であれば特に制限されない。
【００３０】
本実施形態に関する接着剤層１３は、ホットメルト接着剤を用いることにより形成されることが好ましい。ホットメルト接着剤とは、接着剤を溶融することにより接着させる接着剤である。本実施形態に関するホットメルト接着剤は、例えば、熱可塑性樹脂と粘着付与樹脂とを含有するホットメルト接着剤を挙げることができる。また、本実施形態に関するホットメルト接着剤は、粘度を適切に調整する観点から、ワックスを含有することが好ましい。更に、本実施形態に関するホットメルト接着剤は、必要に応じて、充填剤、軟化剤、可塑剤、着色剤、ブロッキング防止剤、酸化防止剤、紫外線吸収剤、シランカップリング剤、チキソ付与剤、発泡剤などを含有してもよい。ホットメルト接着剤は、溶剤を含有しないことが好ましい。ホットメルト接着剤の材料は、本発明に趣旨を逸脱しない限りにおいて特に制限されない。
【００３１】
本実施形態に関するホットメルト接着剤は、発泡ホットメルト接着剤であることが好ましい。発泡ホットメルト接着剤を用いることで、接着剤層の弾力性を高め、物品１２と、接着剤層１３との追随性を向上させることができる。また、追随性を増加させることによって、剥離部１１２との接触面積を高め、接着力を向上させることができる。
【００３２】
以上より、本考案の陳列吊り下げ用包装体は、需要者がシュリンク包装された物品を台紙から容易に剥離可能な陳列吊り下げ用包装体であって、物品として質量の大きい物品を含む陳列吊り下げ用包装体であっても、物品の質量により台紙と物品とが剥離することがない陳列吊り下げ用包装体である。
【符号の説明】
【００３３】
１      包装体
１１    台紙
１１１  ハーフカット溝
１１２  剥離部
１１３  別のハーフカット溝
１２    物品
１３    接着剤層
【図１】
0003199823.tif 000003
【図２】
0003199823.tif 000004
【図３】
0003199823.tif 000005
【図４】
0003199823.tif 000006
【図５】
0003199823.tif 000007